(57)【要約】      （修正有）【課題】  遊戯用カードケースの着脱および確認が容易で、展示効率がよい、吊り下げ展示するのに好適な遊戯用カードケースの保持装置を提供する。【解決手段】  遊戯用カードを収納するカード収納部５を備えた遊戯用カードケース本体１の上方に、複数の遊戯用カードケース本体１を重ね合せた状態で互いに脱・着自在に保持する保持部材２を設け、この保持部材２は、これを支点にそれぞれの遊戯用カードケース本体１を揺動可能に保持させる構成となっている。【選択図】図１
0003117056.tif 000002
【実用新案登録請求の範囲】
【請求項１】
遊戯用カードを収納するカード収納部を備えた遊戯用カードケース本体の上方に、複数の遊戯用カードケース本体を重ね合せた状態で互いに脱・着自在に保持する保持部材を設け、この保持部材は、これを支点にそれぞれの遊戯用カードケース本体を揺動可能に保持させることを特徴とする遊戯用カードケースの保持装置。
【請求項２】
前記保持部材として、周方向へ所定の間隔を置いて環状の掛止め凹溝を複数形成した円柱状のホルダー本体を設け、このホルダー本体の各掛止め凹溝に、遊戯用カード上方に形成した切欠円孔を嵌合することで、ホルダー本体を支点にそれぞれの遊戯用カードケース本体を揺動可能に保持させることを特徴とする請求項１記載の遊戯用カードケースの保持装置。
【請求項３】
前記保持部材として、雌・雄のホック部材を設け、遊戯用カードケース本体の上方両面に雌・雄のホック部材をそれぞれ取り付け、複数の遊戯用カードケース本体を互いに隣り合う雌・雄のホック部材と嵌合することで、この嵌合部を支点としてそれぞれの遊戯用カードケース本体を揺動可能に保持させることを特徴とする請求項１記載の遊戯用カードケースの保持装置。
【考案の詳細な説明】
【技術分野】
【０００１】
本考案は、遊戯用カードを収納して店頭等に吊り下げ保持するのに好適な遊戯用カードケースの保持装置に関する。
【背景技術】
【０００２】
最近、遊戯用カードを使った新規な遊び（ゲーム）として次のようなカード遊びが流行している。例えば、硬貨（１００円）をカード販売機に入れて遊戯用カードを買う。この遊戯用カードには３種類あり、これらのカードを組み合せて一人のキャラを強くする。このキャラの強さを対戦相手と競うカード遊びである。
【０００３】
遊び方としては、複数枚のカードの中から所望のカードを選択してスキャン（バーコードを機械に読み込ませる）することでコンピュータを相手に対戦する、あるいは友達と持っているカードで直接勝負するものである。
【０００４】
従来、これら遊戯用カードを収納するカードケースは、当該カードケースより僅かに大きいサイズの矩形板状の箱部材にて形成される。そして、この箱部材の一側には蓋付きの開口部が形成され、この開口部よりカードケース内に遊戯用カードが収納後閉蓋されるものとなっている。
【特許文献１】特になし
【考案の開示】
【考案が解決しようとする課題】
【０００５】
ところで、従来の前記カードケースは、店頭等において複数のカードケースを並べて展示するのはよいが、複数のカードケースを重ね合せた状態で吊り下げて展示するのには不便である。また、ホルダー板等にホッチキス止めによって複数のカードケースを吊り下げ保持することはできるが、着脱や、特に内側に位置するカードケースの確認操作が面倒なうえに、展示効率がよくない問題があった。
【０００６】
本考案は、前記した従来の技術が有する問題点を解消するもので、遊戯用カードケースの着脱および確認が容易で、展示効率がよい、吊り下げ展示するのに好適な遊戯用カードケースの保持装置を提供することを目的とする。
【課題を解決するための手段】
【０００７】
前記目的を達成するために、本考案に係る遊戯用カードケースの保持装置は、請求項１では、遊戯用カードを収納するカード収納部を備えた遊戯用カードケース本体の上方に、複数の遊戯用カードケース本体を重ね合せた状態で互いに脱・着自在に保持する保持部材を設け、この保持部材は、これを支点にそれぞれの遊戯用カードケース本体を揺動可能に保持させることを特徴とする。
【０００８】
請求項２では、前記保持部材として、周方向へ所定の間隔を置いて環状の掛止め凹溝を複数形成した円柱状のホルダー本体を設け、このホルダー本体の各掛止め凹溝に、遊戯用カード上方に形成した切欠円孔を嵌合することで、ホルダー本体を支点にそれぞれの遊戯用カードケース本体を揺動可能に保持させることを特徴とする。
【０００９】
請求項３では、前記保持部材として、雌・雄のホック部材を設け、遊戯用カードケース本体の上方両面に雌・雄のホック部材をそれぞれ取り付け、複数の遊戯用カードケース本体を互いに隣り合う雌・雄のホック部材と嵌合することで、この嵌合部を支点としてそれぞれの遊戯用カードケース本体を揺動可能に保持させることを特徴とする。
【考案の効果】
【００１０】
請求項１によると、遊戯用カードをカード収納部に収納した遊戯用カードケースを重ね合せた状態で脱・着保持部材にて保持させ、この保持部材部分を支点として揺動可能ならしめているため、複数の遊戯用カードケースをまとめて店頭等に効率よく展示することができると共に、当該遊戯用カードケースを一枚ずつ左右何れかに押し出してカードケース収納部に収納している遊戯用カードの種類、内容等をカードケースを切り離すことなく容易に確認することができる。
【００１１】
また、請求項２によると、円柱状のホルダー本体の周方向に複数形成された環状の掛止め凹溝に、遊戯用カードケースの上部一側に形成された切欠円孔を嵌合、保持させるものであるから、当該遊戯用カードケースをホルダー本体からワンタッチで容易に取り外すことができ操作性が良いと共に、それぞれの遊戯用カードケースは、その掛止め片によって切欠円孔が嵌合するホルダー本体の掛止め凹溝に沿って軸回り方向へ揺動可能に掛止め保持されているため、請求項１同様に、複数まとめて束ねられている遊戯用カードケースに収納されている遊戯用カードのそれぞれの確認が容易である。
【００１２】
さらに、請求項３によると、遊戯用カードケースの上方両面に雌・雄のホック部材をそれぞれ取り付け、互いに隣り合う雌・雄のホック部材を嵌合することで、複数の遊戯用カードケースをひとまとめに保持させるものであるから、当該カードケースをワンタッチで簡単に取り外すことができ操作性が良いと共に、それぞれの遊戯用カードケースは、嵌合状態にある雌・雄のホック部材を支点として揺動可能に保持されているため、請求項１、２同様に、複数まとめて束ねられている遊戯用カードケースに収納されている遊戯用カードのそれぞれの確認が容易である。
【考案を実施するための最良の形態】
【００１３】
以下、図面を参照して本考案を実施するための最良の一形態を説明すると、図面において示される符号１は、略縦長矩形板状の遊戯用のカードケース本体、２は複数の遊戯用カードケース本体１を重ね合せた状態で互いに脱・着自在に保持する保持部材である。
【００１４】
前記遊戯用カードケース本体１は、図１ないし図４に示すように、その下側正面部に、透明な合成樹脂製のフィルムシート３の上下端縁および後端縁の三方をウェルダー加工して一側に遊戯用カードの出し入れ口４を設けたカード収納部５が形成されている。前記合成樹脂製のフィルムシート３は伸縮性を備えており、複数枚の遊戯用カードがカード収納部５に重合、収納されるようになっている。図中３ａはそのウェルダー加工部を示す。
【００１５】
また、前記遊戯用カードケース本体１は、その上方に、後述する保持部材２としての円柱状のホルダー本体８に嵌合、保持可能な掛止め部６が形成されている。
【００１６】
この掛止め部６は、図１および図２に示すように、遊戯用カードケース本体１の上方一側に切設された切欠円孔７にて形成され、後述する円柱状のホルダー本体８に脱・着可能に嵌合、保持されるものとなっている。なお、図中７ａは、円柱状のホルダー本体８に切欠円孔７を嵌合させる際の入口部を示す。
【００１７】
一方、前記保持部材２は、これを支点として複数の遊戯用カードケース本体１を揺動可能に保持させるもので、図１ないし図４に示す保持部材２は円柱状のホルダー本体８にて形成され、図５ないし図８に示す保持部材２は雌・雄のホック部材９にて形成されている。
【００１８】
そのうち、円柱状のホルダー本体８は、周方向に所定の間隔を置いて環状の掛止め凹溝８ａが複数（図においては３個）が形成され、それぞれの掛止め凹溝８ａには、遊戯用カードケース１の上方一側に設けられた切欠円孔７がその入口部７ａを介して脱・着可能にして、かつそれぞれの遊戯用カードケース本体１がホルダー本体８を支点として揺動可能に嵌合、保持されるものとなっている。
【００１９】
雌・雄のホック部材９は、遊戯用カードケース本体１の上方両面にそれぞれ取り付けられ、複数の遊戯用カードケース本体１の互いに隣り合う雌・雄のホック部材９を介して脱・着可能にして、かつそれぞれの遊戯用カードケース本体１がホック部材９を支点として揺動可能に嵌合、保持されるものとなっている。
【００２０】
次に、以上のようにして構成された最良の形態についての使用、動作の一例について説明すると、先ず、図１ないし図４に示すように、カード収納部５に複数枚の遊戯用カード（不図示）が収納されたカードケース本体１の上部一側に切設された掛止め部６としての切欠円孔７を、その入口部７ａから保持部材２としてのホルダー本体８の掛止め凹溝８ａにそれぞれ押し込み嵌合、保持させる。
【００２１】
こうして複数枚（図においては３枚）の遊戯用カードケース本体１をホルダー本体８に設けられた３個の掛止め凹溝８ａにそれぞれ掛止め保持した後、例えば、そのホルダー本体８を吊り下げ具１１に保持させる。
【００２２】
この吊り下げ具１１は、図３および図４に示したように、合成樹脂製の厚板をもって、頂板１２ａと両側板１２ｂからなる略コ字形の吊り下げ具本体１２にて形成されている。そして、この吊り下げ具本体１２の両側板１２ｂの内側にはホルダー本体８の両端を嵌合、保持させる嵌合凹部１２ｃがそれぞれ対向して形成されている。
【００２３】
また、この吊り下げ具本体１２の頂板１２ａ上面には掛け金具１３が付設されており、この掛け金具１３に吊り下げ金具１４の下端が取り付けられている。
【００２４】
このようにして複数枚の遊戯用カードケース本体１の掛止め部６としての切欠円孔７をホルダー本体８の掛止め凹溝８ａにそれぞれ掛止め保持した後、そのホルダー本体８の軸方向両端を吊り下げ具本体１２の嵌合凹部１２ｃに嵌合、保持させ、吊り下げ具本体１２の上端に取り付けられた吊り下げ金具１４を店頭の適所に配置された不図示の吊り下げバー等に引っ掛けることで複数の遊戯用カードケース本体１を店頭展示する。
【００２５】
この吊り下げ具本体１２にホルダー本体８を介して掛止め保持された複数枚の遊戯用カードケース本体１はそれぞれホルダー本体８の軸廻り方向へ揺動可能となっているため、遊戯用カードケース本体１を一枚ずつ横方向へ押し出してカード収納部５に収納されている遊戯用カードの種類、内容等をそれぞれ容易に確認することができる。
【００２６】
そして、確認後、必要な遊戯用カードケース本体１を掛止め凹溝８ａの上方へ持ち上げることによって取り外すことができる（図１および図２参照）。
【００２７】
なお、ホルダー本体８を吊り下げ保持する部材としては前記した構造の吊り下げ具１１に限られるものではない。例えば、ホルダー本体８の両軸端にリング状の鎖（不図示）を取り付け、この鎖を店頭に配置された吊り下げバー等へ吊り下げるようにしてもよい。
【００２８】
一方、図５ないし図８に示すように、保持部材２として雌・雄のホック部材９を使用する場合は、カード収納部５に複数枚の遊戯用カード（不図示）が収納された遊戯用カードケース本体１を、その上方両面に取り付けられた雌・雄のホック部材９を介して、すなわち互いに隣り合う雌・雄のホック部材９同志を押し込み嵌合、保持させる。
【００２９】
このようにして、複数の遊戯用カードケース本体１を雌・雄のホック部材９を介して嵌合、保持させた後、これに適合する吊り下げ具（不図示）、例えばコ字枠状の吊り下げ具の内側に挟持させた状態で前記ホルダー本体８と同様に店頭等に展示することができる。
【００３０】
この際、複数の遊戯用カードケース本体１それぞれは、互いに嵌め合せ状態にある雌・雄のホック部材９を支点として軸廻り方向へ揺動可能となっているため、前記同様遊戯用カードケース本体１を一枚ずつ横方向へ押し出してカード収納部５に収納されている遊戯用カードの種類、内容等を容易に確認することができる。
【図面の簡単な説明】
【００３１】
【図１】本考案に係わる遊戯用カードケースの保持装置においてホルダー本体にカードケースを嵌合、保持した状態を示す斜視図である。
【図２】同上装置においてホルダー本体にカードケースを嵌合、保持する前の状態を示す斜視図である。
【図３】同上装置の使用状態を示す正面図である。
【図４】同上装置の使用状態を示す一部断面の側面図である。
【図５】他例の遊戯用カードケースの保持装置を示す正面図である。
【図６】同上装置の使用状態を示す正面図である。
【図７】同上装置の嵌合前の状態を示す側面図である。
【図８】同上装置の嵌合時の状態を示す側面図である。
【符号の説明】
【００３２】
１    遊戯用のカードケース本体
２    保持部材
３    フィルムシート
４    出し入れ口
５    カード収納部
６    掛止め部
７    切欠円孔
７ａ  入口部
８    ホルダー本体
８ａ  掛止め凹溝
９    雌・雄のホック部材
１１  吊り下げ具
１２  吊り下げ具本体
１３  掛け金具
１４  吊り下げ金具
【図１】
0003117056.tif 000003
【図２】
0003117056.tif 000004
【図３】
0003117056.tif 000005
【図４】
0003117056.tif 000006
【図５】
0003117056.tif 000007
【図６】
0003117056.tif 000008
【図７】
0003117056.tif 000009
【図８】
0003117056.tif 000010